(57)【要約】【課題】深海までの導管敷設、汲み上げ用機器の設置、及び貯蔵設備の設置を要さない、経済的に有利な海洋深層水の採取供給方法を提供する。【解決手段】浮力調整装置を有し開閉可能な開口部を有する容器を海面下に沈めて海洋深層水を採取し、そのまま主として海面下を移動させて運搬し、さらにそのまま利用する場所付近の主として海面下で保存する。【選択図】          なし【特許請求の範囲】
【請求項１】
浮力調整装置を有し開閉可能な開口部を有する容器を海面下に沈めて海洋深層水を採取、運搬、保存する方法。
【請求項２】
浮力調整装置を有し開閉可能な開口部を有する容器を海面下に沈めて海洋深層水を採取し、そのまま海面下を移動させて運搬する請求項１記載の方法
【請求項３】
浮力調整装置を有し開閉可能な開口部を有する容器を海面下に沈めて海洋深層水を採取し、そのまま海面下を移動させて運搬し、更に海面下で保存する、請求項１、２の何れかに記載の方法
【請求項４】
浮力調整装置を有し開閉可能な開口部を有する容器が、容量可変の海洋深層水収納部を有する、請求項１から３の何れかに記載の方法。
【請求項５】
浮力調整装置を有し開閉可能な開口部を有する容器が、加圧ガスボンベ、フロート、及び両者間をつなぐ送気管からなる浮力調整装置を有する、請求項１から４の何れかに記載の方法。
【請求項６】
浮力調整装置を有し開閉可能な開口部を有する容器が、蛇腹構造からなる容量可変の海洋深層水収納部を有する、請求項１から５の何れかに記載の方法。
【請求項７】
浮力調整装置を有し開閉可能な開口部を有する容器が、正逆に回転できる羽付水中ポンプを有する、請求項１から６の何れかに記載の方法。
【発明の詳細な説明】
【０００１】
【発明の属する技術分野】
本発明は産業上有用な深海のいわゆる海洋深層水を採取し、更に運搬し、保存する方法に関する。
海洋深層水は一般には海面下３００ｍを超える深海にあり、低温で清浄でミネラル分に富む深海水層から採取されたものを呼ぶがこの海水を脱塩淡水化されたものおよびその際副生する濃縮塩水をも総称して呼ばれる。低温で清浄でミネラル分に富むことを利用して養殖、食品、発酵などの広い産業分野に用いられている。
【０００２】
【従来の技術】
従来の技術では、深海まで届くパイプを敷設し海洋深層水をポンプで汲み上げ（例えば、特許文献１参照）、陸上のタンクにストックしここからタンクローリーやコンテナーなどの運搬手段で利用者に配送する方法がとられている。
しかしながら、このような方法では、深海までの汲み上げ用導管、汲み上げ用ポンプ等の機械設備、汲上げた海洋深層水の貯蔵設備、出荷配送に伴う運搬設備等の設置に多額の投資が必要なこと、及び設備運転のためのコストも加わって海洋深層水の価格が高くなり、安価な供給が必要な養殖、栽培、製氷など大口の消費には適していないと言う問題点があった。
また、上記の設備を設けた場所以外では海洋深層水を採取することができないため、採取場所も限定され、しかも一般に採取場所が利用場所から遠隔になる傾向があることから輸送コストも嵩むと言う問題点があった。
更に、海洋深層水が低温水である特徴を生かすには汲み上げた海洋深層水を低温で保存管理することが好ましく，そのために冷却設備を有する貯蔵設備及び運搬手段が必要であり、設備費とエネルギーコストが掛かると言う問題点があった。
また、更に本来清浄な海洋深層水も度々にわたってタンクや運搬容器に入れ替える必要が生じることから汚染されやすくなり、そのため頻繁な水質チェックが必要であったり、場合によっては貯漕、配管を含めた大がかりな除菌、滅菌処理を要したりする問題点があった。
【０００３】
【特許文献１】
特開平９−１９２３４号公報
【０００４】
【発明が解決しようとする課題】
本発明の目的は、海洋深層水を採取し、更に保存、運搬するにあたり、恒久的な採取、運搬、保存設備の設置を要せず、しかも保存や運搬にかかる運転コストも低廉であり衛生的にも優れた海洋深層水を提供する方法に関する。
【０００５】
【課題を解決するための手段】
本発明者は、上記の問題点を解決するために鋭意検討した結果、浮力調整装置を有し開閉可能な開口部を有する容器を海面下に沈めて海洋深層水を採取、運搬、保存する方法、特にこれらの操作を一連に行う方法が有効であることを見出した。
【０００６】
すなわち、本発明の方法は、浮力調整装置を有し開閉可能な開口部を有する容器を海面下に沈めて海洋深層水を採取、運搬、保存する方法であり、好適には浮力調整装置を有し開閉可能な開口部を有する容器を海面下に沈めて海洋深層水を採取し、そのまま主として海面下を移動させて運搬し、更にそのまま利用する場所付近で主として海面下で、必要に応じて繋留するなどして保存することを特徴とする（１）から（７）に示す海洋深層水の採取、運搬、保存方法に関する。
（１）浮力調整装置を有し開閉可能な開口部を有する容器を海面下に沈めて海洋深層水を採取、運搬、保存する方法。
（２）浮力調整装置を有し開閉可能な開口部を有する容器を海面下に沈めて海洋深層水を採取し、そのまま海面下を移動させて運搬する（１）記載の方法
（３）浮力調整装置を有し開閉可能な開口部を有する容器を海面下に沈めて海洋深層水を採取し、そのまま海面下を移動させて運搬し、更に海面下で保存する、（１）、（２）の何れかに記載の方法
（４）浮力調整装置を有し開閉可能な開口部を有する容器が、容量可変の海洋深層水収納部を有する、（１）から（３）の何れかに記載の方法。
（５）浮力調整装置を有し開閉可能な開口部を有する容器が、加圧ガスボンベ、フロート、及び両者間をつなぐ送気管からなる浮力調整装置を有する、（１）から（４）の何れかに記載の方法。
（６）浮力調整装置を有し開閉可能な開口部を有する容器が、蛇腹構造からなる容量可変の海洋深層水収納部を有する、（１）から（５）の何れかに記載の方法。
（７）浮力調整装置を有し開閉可能な開口部を有する容器が、正逆に回転できる羽付水中ポンプを有する、（１）から（６）の何れかに記載の方法。
【０００７】
【発明の実施の形態】
浮力調整装置を有し開閉可能な開口部を有する容器の材料は使用の目的に合えば限定されないが、好ましくはプラスチックスまたは金属およびこれらの組み合わせが適当である。プラスチックスとしてはシート状あるいはフィルム状で使用され、塩化ビニール、ポリエステル、ナイロン、ポリエチレン、ポリスチレン、アクリル、およびポリウレタンなど海水に耐久性を有するプラスチックス材料が使用可能である。金属材料は海水に耐える材料であれば利用可能であり、鉄のような材料もコーティングされ耐蝕処理された表面を有するものは利用できる。海水中の高圧と沈積させることを考慮すれば容器を海水面から海水を置換しながら沈めていく硬式の容器か深海域で展開膨張させて海水を取り込む軟式の容器およびそれらの中間の方式で海水を置換しながら沈降させ取水地点で膨張させる容器であることが好ましく、いずれの容器においても開閉できる取水口を有していなくてはならない。
【０００８】
海洋深層水が採取された容器は温度差もあり引き上げていくには重量が無視できない。クレーンを使うことも出来るが容器の姿勢を保ち最適な深度を保つため容器自身に浮力を有するか、加圧ガスボンベ、フロート、及び両者間をつなぐ送気管からなる浮力補助装置をつけかつその浮力をコントロールすることが必須である。ポリプロピレンのごとき材料それ自身が海水よりも比重が軽いことを利用することも好ましい。当該容器に正逆に回転できる羽付水中ポンプを取り付けて取水したり、陸上に揚水することも可能である。また曳航するときの安定性やスピードを考慮して曳航方向に抵抗の少ない容器の形状を選ぶことも好ましい。海水面を運ぶ方法では風や波浪の影響を受けやすいが海面下に沈めた容器ではそのような影響を受けにくく運搬に適している。
【０００９】
【実施例】
以下具体的な容器の形状による実施例を示すがもちろんこれらに限定されるものではない。
実施例１
図１に本発明を具現した容器を示した。１はポリエステル（ＰＥＴ）シート製の円筒形の容器であり上下は円錐状になっている。胴部は蛇腹構造（ちょうちん型）になっていて折りたたみできる。２の懸垂ワイヤーは海水中に容器をつるしたり、曳航したりするものである。容器下部は錘と枠を兼ねたリング３、４が取り付けられている。上下の開口部には逆止タイプの開閉板５，６があり、海水は下から上へ流れる。折りたたんだまま海面に投入する。海面から所定位置まで蛇腹を伸ばしながら、下部の開口部から海水を順次置換しながら吸い込んでいく。所定深度では所望の海洋深層水で完全に置換される。容器上部には沈降時にはつぶれているが圧搾空気注入時には膨らむ可塑性及び耐圧性を有するはちまき状の樹脂製のパイプ状のフロート７がある。８の圧搾空気チューブからつぶれているフロートに空気を送って浮力を与える。この時、上から下方向の海水の流れで５，６の逆止弁は閉鎖される。そして容器を曳航可能な水深まで引き上げる。目的の場所へ着いたところで船から切り離して主に海面下に浮かせて、必要に応じて繋留するなどしてそのまま保存することができる。上部の開口部からフレキシブルなパイプをさしいれて必要な量を取り出すことができる。円筒形の容器の直径２ｍ、円筒部の長さ５ｍの容器では約１５立方メートルの海洋深層水の取水、運搬、貯蔵が可能である。
【００１０】
実施例２
図２において水中ポンプ１を有する容器を示した。水中ポンプは羽が正逆に回転することにより汲みいれ汲みだすことが出来る。ポンプの一方の排出口に沈降時は空気が入っていない折りたたんだポリエステルシートの容器２が取り付けられている。またポンプにはフロート３が取り付けられているが沈降時は空気が入っていない。これらを付属した容器が所定の深度に達したところでポンプが回転し折りたたんだ容器の中に海洋深層水が注入される。チューブ４から圧搾空気がフロートに送られて浮力を調整し、かつワイヤー５を巻き上げて所定の深度まで引き上げられ曳航運搬される。６はモーターの電源コードである。消費の場所では水中ポンプの出口にパイプを取り付け汲み上げ供給される。
【００１１】
【発明の効果】
上記の本願の方法で深層海水が採取できるので採取場所は限定されず、採取しやすい場所や沖合の船からも採取できる。陸上からの取水管やポンプ設備も不要となり設備コストは大幅に引き下げられる。また取水した海洋深層水は陸上に上げることなく温度の低い海水中を運搬することで低温が保たれ特別な冷却設備も要しない。したがって運搬は時間を短縮することは必須ではないので目的の場所までゆっくり曳航すればよく出力の小さい小型船で十分である。また目的地でも消費が終わるまで貯蔵タンクとしても使用できるので結局海洋深層水が途中移し変えられることがないので汚染される機会は極めて少なく、海洋深層水の長所である清浄さが保たれるため食品分野への利用にも極めて好適である。
すなわち本願発明によって従来の課題となっていた、立地、設備コスト、運搬方法、貯蔵、品質について画期的に改善できることは明らかと言える。
【図面の簡単な説明】
【図１】本発明の実施例を示した海洋深層水採取用容器の採水時及び非採水時の外観図である。
【図２】本発明の実施例を示した水中ポンプを有する海洋深層水採取用容器の採水時及び非採水時の外観図である。
【符号の説明】
図１：１容器
２懸垂ワイヤー
３沈降安定リング
４海水吸入孔リング
５上部開閉板
６下部開閉版
７フロート
８送気管（圧搾空気チューブ）
図２：１水中ポンプ
２容器
３フロート
４送気管（圧搾空気チューブ）
５懸垂ワイヤー
６電源コード
【図１】
2004284610.tif 000002
【図２】
2004284610.tif 000003